(57)【特許請求の範囲】
【請求項１】
底板（２）の周縁から前面板（３）、後面板（４）、左側面板（５）、及び右側面板（６）を有する周壁部が立ち上げられ、その周壁部の上縁に連設された蓋板（７）で前記周壁部上端の開口が閉じられるようになっており、前記左側面板（５）の上縁から伸びてその左側面板（５）、前記前面板（３）及び前記右側面板（６）を通ってその右側面板（６）の上縁に至る切目線（１５，１３，１６）を設け、その切目線（１５，１３，１６）を境に上方の開放部材（３０）と下方の収容部材（２５）とを分離することにより、下方の収容部材（２５）内に収容された商品（Ｓ）が取出可能となり、
前記開放部材（３０）に設けた係合片（３８，３９）を、前記周壁部に設けた係合部に係合することにより、前記開放部材（３０）を前記収容部材（２５）に固定し、前記開放部材（３０）に、前記商品（Ｓ）の少なくとも一つを外部から視認可能な状態に保持できる商品保持部（４１）を設け、
前記係合片（３８，３９）は、前記左側面板（５）及び前記右側面板（６）の上縁にそれぞれ連設された折込片（１８，１９）の一部であることを特徴とする包装容器。
【請求項２】
前記開放部材（３０）は、前記左側面板（５）から切り出された左側面部材（３５）、前記前面板（３）から切り出された前面部材（３３）、及び前記右側面板（６）から切り出された右側面部材（３６）とを有し、前記左側面部材（３５）の切目線（１５）側の縁から伸びて前記前面部材（３３）を通って前記右側面部材（３６）の切目線（１６）側の縁に至る折目線（４２）が設けられ、前記左側面部材（３５）、前記前面部材（３３）及び前記右側面部材（３６）の前端を前記折目線（４２）で内側へ折り曲げて補強部（４０）を形成したことを特徴とする請求項１に記載の包装容器。
【請求項３】
前記商品保持部（４１）は、前記折目線（４２）を挟んで前記前面部材（３３）の後端側と前端側とにそれぞれ設けられた孔（４１ｂ，４１ａ）で構成され、前記商品（Ｓ）は、その後端側の孔（４１ｂ）と前端側の孔（４１ａ）とに挿通されることを特徴とする請求項２に記載の包装容器。
【発明の詳細な説明】
【技術分野】
【０００１】
この発明は、各種商品の包装及び陳列に使用する包装容器に関するものである。
【背景技術】
【０００２】
各種商品を包装し、且つ、店舗や事業所等において、内部の商品を陳列する機能を備えた包装容器として、例えば、図８（ａ）（ｂ）に示すものがある。
【０００３】
この包装容器１は、図８（ａ）に示すように、底板２の周縁から前面板３、後面板４、左側面板５、及び右側面板６が立ち上げられて周壁部を形成している。また、後面板４の上縁には、折目線１４を介して蓋板７が連設されている。蓋板７を周壁部に対して折目線１４で内側へ折り曲げることにより、周壁部の上端開口が閉じられるようになっている。
【０００４】
また、この包装容器１の前面板３の上下方向中ほどには、左右の側面板５，６間を結ぶ横方向の切目線１３が設けられている。さらに、左右の側面板５，６には、前面板３の切目線１３に連続する切目線１５，１６が設けられている。この切目線１５，１６は、左右の側面板５，６の上縁に至っている。
【０００５】
包装容器１の上部を、切目線１５，１３，１６に沿って切断することにより、図８（ｂ）に示すように、包装容器１上部の開放部材２１が、包装容器１下部の収容部材２０から切り離される。これにより、包装容器１の上部が開放された状態となる。
また、左右の側面板５，６の上部を、それぞれ、切目線１５，１６よりもやや下方に設けた折目線８，９に沿って内側へ折り曲げて押え片１１，１２を形成し、その押え片１１，１２の波状の縁で、内部の商品Ｓを保持させている。
【０００６】
このように、内部に収容された商品Ｓが外部から、特に、前方から視認できる状態になるので、包装容器１に入れた状態のまま、商品Ｓの陳列が可能となる（例えば、特許文献１，２参照）。
【先行技術文献】
【特許文献】
【０００７】
【特許文献１】特開２００４−２９９７７３号公報
【特許文献２】特開２００２−６８１７４号公報
【発明の概要】
【発明が解決しようとする課題】
【０００８】
上記の包装容器１によれば、その内部に収容された商品Ｓは、包装容器１を開封した後、内部から取り出されることなくそのままの状態で陳列される。すなわち、商品Ｓは、包装時の状態（包装容器１が開封される前の状態）と同じ配置状態で陳列されることとなる。
【０００９】
このため、店舗や事業所等での陳列状態において、取引者や取扱者は、個々の商品Ｓを詳しく視認したり、あるいは、手にとって確かめたりすることが気軽にできないという問題がある。全ての商品Ｓが、元の包装容器１内に密集した状態のままだから、視覚や触感でその内容を確認しづらいのである。
また、特に、図８（ｂ）に示すように、商品Ｓが一つずつ、あるいは所定個ずつ個別包装されている場合は、その個々の商品Ｓの内容を確認することがさらに困難である。
【００１０】
そこで、この発明は、商品を包装し、且つ、内部の商品を陳列する機能を備えた包装容器において、その包装容器に収容されている商品の内容を、陳列時に確認しやすいようにすることを課題とする。
【課題を解決するための手段】
【００１１】
上記の課題を解決するために、この発明は、底板の周縁から前面板、後面板、左側面板、及び右側面板を有する周壁部が立ち上げられ、その周壁部の上縁に連設された蓋板で前記周壁部上端の開口が閉じられるようになっており、前記左側面板の上縁から伸びてその左側面板、前記前面板及び前記右側面板を通ってその右側面板の上縁に至る切目線を設け、その切目線を境に上方の開放部材と下方の収容部材とを分離することにより、下方の収容部材内に収容された商品が取出可能となり、前記開放部材に設けた係合片を、前記周壁部に設けた係合部に係合することにより、前記開放部材を前記収容部材に固定し、前記開放部材に、前記商品の少なくとも一つを外部から視認可能な状態に保持できる商品保持部を設けたことを特徴とする包装容器を採用した。
【００１２】
この構成によれば、多くの商品を取出可能な状態で収容している下部の収容部材に対し、包装容器を開封する際に離脱させた上部の開放部材を固定して、その固定した開放部材に商品の少なくとも一つを保持させることができる。すなわち、包装容器を開封する際に離脱させた上部の開放部材を活用して、収容されている商品の一つ、又はいくつかを見本として展示することができる。このため、包装容器に収容されている商品の内容を、陳列時に、より確認しやすいようにできる。
【００１３】
なお、見本として展示する商品は、その商品が一つずつ、あるいは所定個ずつ個別包装されている場合は、その個別包装されたまま展示することもできるし、個別包装を開封して商品のみを展示することもできる。また、開放部材の係合片を係合するための係合部は、例えば、左側面板と右側面板とにそれぞれ設けることができるし、あるいは、前面板と後面板とに設けることも可能である。
【００１４】
また、収容部材に設けられる係合部は、例えば、係合片を差し入れ可能なスリットとすることもできるし、あるいは、係合片に設けたフック状の部分が係合できる凸部等とすることができる。
【００１５】
これらの構成において、開放部材を収容部材に固定するために、その開放部材に設けられる係合片として、例えば、前記左側面板及び前記右側面板のそれぞれの上縁付近における、その上縁と切目線とで構成されるコーナー部を活用できる。コーナー部を収容部材側の係合部に係合することで、開放部材を収容部材に固定できる。特に、係合部がスリットである場合は、その上縁と切目線との成すコーナー部が鋭角状であれば、スリットへの差込み及び固定が容易である。
【００１６】
あるいは、その係合片として、例えば、前記左側面板及び前記右側面板の上縁にそれぞれ連設された折込片を活用できる。折込片は、蓋板を閉じる際に内側に折り込まれるものである。この折込片は、左側面板及び右側面板の上縁から突出するように設けられているので、その大きさを自由に設定しやすい。このため、折込片の一部又は全部を、収容部材側の係合部に係合することで、開放部材を収容部材に容易に固定できる。また、係合部がスリットである場合は、そのスリットへの差込み及び固定が容易である。
【００１７】
これらの各構成において、前記開放部材は、前記左側面板から切り出された左側面部材、前記前面板から切り出された前面部材、及び前記右側面板から切り出された右側面部材とを有し、前記左側面部材の切目線側の縁から伸びて前記前面部材を通って前記右側面部材の切目線側の縁に至る折目線が設けられ、前記左側面部材、前記前面部材及び前記右側面部材の前端を前記折目線で内側へ折り曲げて補強部を形成した構成を採用することができる。
このように、開放部材の前端に補強部を設ければ、開放部材の剛性が高まるので、見本として展示される商品を、その剛性の高まった開放部材でよりしっかりと保持できるようになる。
【００１８】
また、その補強部を設けた構成において、前記商品保持部は、前記折目線を挟んで前記前面部材の後端側と前端側とにそれぞれ設けられた孔で構成され、前記商品は、その後端側の孔と前端側の孔とに挿通される構成を採用することができる。
この構成によれば、見本として展示される商品は、折目線を挟んで後端側の孔の内周と前端側の孔の内周の少なくとも２箇所で、よりしっかりと保持できるようになる。
【発明の効果】
【００１９】
この発明は、多くの商品を取出可能な状態で収容している下部の収容部材に対し、包装容器を開封する際に離脱させた上部の開放部材を固定して、その固定した開放部材に商品の少なくとも一つを保持させることができる。このため、包装容器に収容されている商品の内容を、陳列時に、より確認しやすいようにできる。
【図面の簡単な説明】
【００２０】
【図１】この発明の一実施形態の包装容器の開封前の状態を示す斜視図
【図２】図１の開封直後の状態を示す斜視図
【図３】開放部材の詳細を示し、（ａ）は展開図、（ｂ）は展開状態の斜視図、（ｃ）は折り曲げた状態の斜視図
【図４】開放部材を収容部材に固定する直前の状態を示す斜視図
【図５】開放部材を収容部材に固定した状態を示す斜視図
【図６】開放部材に設けた商品保持部で商品を保持した状態を示す要部拡大側面図
【図７】包装容器のブランクの平面図
【図８】従来例を示し、（ａ）は開封前の状態を示す斜視図、（ｂ）は開封後の状態を示す斜視図
【発明を実施するための形態】
【００２１】
この発明の実施形態を、図面に基づいて説明する。この実施形態の包装容器１０は、一つずつ個別包装された長尺状の商品Ｓを複数個まとめて包装するものである。また、店舗や事業所等において、その包装容器１０に収容した状態のまま、内部の商品Ｓを陳列する機能を備えたものである。
【００２２】
包装容器１０は、図１に示すように、矩形を成す底板２の周縁から、前面板３、後面板４、左側面板５、及び右側面板６が立ち上げられて、筒状の周壁部を形成している。また、後面板４の上縁には、折目線１４を介して蓋板７が連設されている。
【００２３】
この包装容器１０は、図７に示すボール紙からなるブランク５０によって形成される。図７に示す符号３ｃ，４ｃ，５ｃ，６ｃは、底板２を形成するための折込片である。包装容器１０を組み立てる際には、前面板３、後面板４、左側面板５、及び右側面板６の下縁に対して、その折込片３ｃ，４ｃ，５ｃ，６ｃを内側に折り曲げ、後面板４の側縁に連設した接着片４ｂを、右側面板６の側縁に沿って接着することにより、底板２から筒状の前記周壁部が立ち上げられた状態となる。また、折込片１８，１９を周壁部に対して内側に折り曲げ、蓋板７を周壁部に対して折目線１４で内側へ折り曲げることにより、周壁部の上端開口が閉じられるようになっている。
【００２４】
また、包装容器１０には、左側面板５から前面板３及び右側面板６に至る切目線１５，１３，１６が設けられている。この切目線１５，１３，１６は、左側面板５の上縁のいずれかの部分から伸びて、その左側面板５、前面板３及び右側面板６を通って、その右側面板６の上縁のいずれかの部分に至るように形成される。
この実施形態では、左側面板５の切目線１５は、前面板３側から後面板４側へ向かって徐々に上昇する方向へ傾斜して設けられ、後面板４と蓋板７との間の折目線１４の端部付近で、その左側面板５の上縁に至っている。また、右側面板６の切目線１６は、前面板３側から後面板４側へ向かって徐々に上昇する方向へ傾斜して設けられ、後面板４と蓋板７との間の折目線１４の端部付近で、その右側面板６の上縁に至っている。さらに、前面板３の切目線１３は、左側面板５と右側面板６とを結ぶ方向に水平方向に設けられている。
【００２５】
また、この実施形態では、切目線１５，１３，１６は、それぞれ下部切目線１５ａ，１３ａ，１６ａ、上部切目線１５ｂ，１３ｂ，１６ｂの２本で構成されている。その２本の切目線間が、帯状の切取部３１となっている。
【００２６】
この切目線１５，１３，１６を切断し、すなわち、帯状の切取部３１を切り取ることにより、図２に示すように、包装容器１０上部の開放部材３０が、包装容器１０下部の収容部材２５から切り離される。このように、切目線１５，１３，１６を境に、上方の開放部材３０と下方の収容部材２５とを分離すれば、下方の収容部材２５内に収容された商品Ｓが取出可能な状態になる。
【００２７】
このとき、蓋板７の前縁には折目線１７を介して折込片７ａが設けられている。また、蓋板７には、平面視コ字状の切目線７ｃが設けられている。折込片７ａを、図２の矢印Ｂに示すように内側へ折り込んで、後面板４に設けた差込部４ａに差込めば、切目線７ｃが切り離され、突出片７ｂが上方へ突出した状態となる。この突出片７ｂは、商品Ｓの内容を記載する表示部として利用することができる。
また、折込片７ａを差込部４ａに差込めば、折目線１７の部分が全長に亘ってやや前方に突出するように、蓋板７が側面視く字状に突出した状態に固定される。このため、その突出した部分が商品Ｓを前方へ押し出す押圧部７ｄとして機能する。商品Ｓが収容部材２５内で前方に押し出されれば、商品Ｓの取出しがしやすいし、その視認性もよくなる。
【００２８】
切り離した開放部材３０は、まず、図２の矢印Ａに示すように、左側面板５及び右側面板６の上縁にそれぞれ連設されていた折込片１８，１９を立ち上がらせる。この実施形態では、この折込片１８，１９の先端を、開放部材３０を収容部材２５に固定するための係合片３８，３９として活用している。
【００２９】
開放部材３０の詳細を図３（ａ）（ｂ）（ｃ）に示す。開放部材３０は、左側面板５から切り出された左側面部材３５、前面板３から切り出された前面部材３３、及び右側面板６から切り出された右側面部材３６とを有する。係合片３８，３９は、左側面部材３５と右側面部材３６に、折目線３８ｄ，３９ｄを介して連設された状態となっている。
【００３０】
この係合片３８，３９を、図４から図５に示すように、収容部材２５側の左側面板５及び右側面板６に設けられた上下方向のスリット（係合部）５ａ，６ａに挿入する。これにより、開放部材３０が収容部材２５に固定される。
【００３１】
このとき、係合片３８，３９の下端において、係止部３８ａ，３９ａが設けられている。この係止部３８ａ，３９ａが、図６に示すように、スリット５ａ，６ａの下端に係止して、開放部材３０が抜け止めされている。さらに、係止部３８ａ，３９ａに設けた折目線３８ｃ、３９ｃの上部には、その係合片３８，３９の上縁に臨む切込部３８ｂ，３９ｂが設けられている。この切込部３８ｂ，３９ｂが、スリット５ａ，６ａに噛み合うことによっても抜け止め機能を発揮する。
【００３２】
なお、このように、係止部３８ａ，３９ａ又は切込部３８ｂ，３９ｂによる抜け止め機能が発揮された状態で、図６に示すように、係合片３８，３９の後端が、後面板４の内面に圧力をもって当接していれば、その後面板４とスリット５ａ，６ａとの間で係合片３８，３９が弾性的に保持される。このため、より高い抜け止めの機能を発揮させることも可能である。
【００３３】
また、その開放部材３０には、包装容器１０内に収容されていた商品Ｓの一つを外部から視認可能な状態に保持できる商品保持部４１が設けられている。このため、開放部材３０は、いわばＰＯＰ台として機能し得る。
【００３４】
すなわち、図５に示すように、多くの商品Ｓを取出可能な状態で収容している収容部材２５の前方において、このＰＯＰ台（開放部材３０）上に商品Ｓの一つを見本として保持し、展示することができる。
このように、本来、開封後すぐに廃棄するべき開放部材３０を活用して、商品Ｓを見本として展示することができるから、素材の有効利用ができる。また、ＰＯＰ台が収容部材２５の前方に突出しているから、取引者や取扱者は、包装容器１０（収容部材２５）内に収容されている商品Ｓの内容を、手に取ってあるいは視覚で確認しやすい。
【００３５】
また、その開放部材３０の前端には、左側面部材３５の切目線１５側の縁から伸びて、前面部材３３を通って、右側面部材３６の切目線１６側の縁に至る折目線４２が設けられている。この実施形態では、図３に示すように、前面部材３３に設けられる折目線４２は、切目線１３に並行に設けられている。また、左側面部材３５及び右側面部材３６に設けられる各折目線４２は、それぞれ切目線１５，１６にほぼ直交して設けられている。また、図中の折目線４４は、前面板３と左側面板５、前面板３と右側面板６との間の折目線ｒの一部である（図７のブランク５０参照）。
【００３６】
この左側面部材３５、前面部材３３及び右側面部材３６の前端を、その折目線４２，４４に沿って内側へ折り曲げることで、補強部４０が形成されている。
すなわち、補強部４０は、開放部材３０の前端が折目線４２，４４に沿って内側に折り曲げられた際に、左側面部材３５の前端が左側面部材折返部４５に、前面部材３３の前端が前面部材折返部４３に、及び右側面部材３６の前端が右側面部材折返部４６となることによって構成されている。
【００３７】
このように、開放部材３０の前端に部材が二重構造となる補強部４０を設ければ、開放部材３０の剛性が高まるので、見本として展示される商品Ｓを、その剛性の高まった開放部材３０でよりしっかりと保持できるようになる。
【００３８】
また、この実施形態では、商品保持部４１を、その剛性の高い補強部４０に設けている。すなわち、商品保持部４１は、折目線４２を挟んで、前面部材３３の後端側と前端側とにそれぞれ設けられた孔４１ｂ、４１ａで構成され、商品Ｓは、その後端側の孔４１ｂと前端側の孔４１ａとに上下方向に挿通される。このため、見本として展示される商品Ｓは、その剛性の高い補強部４０によってしっかりと保持されるようになる。
【００３９】
この実施形態では、商品保持部４１を補強部４０に設けたが、商品保持部４１は開放部材３０の補強部４０以外の部分に設けることもできる。また、この実施形態では、商品保持部４１を孔で構成したが、孔以外にも、例えば、その開放部材３０に設けた一つの、あるいは複数の突出片によって、商品Ｓが脱落しないように保持して展示する構成としてもよい。
【００４０】
また、この実施形態では、商品Ｓとして歯ブラシを対象としているが、歯ブラシ以外の他の商品であっても用いることができる。また、長尺状の商品Ｓには限定されず、他の形状のものであってもよい。
【００４１】
さらに、この実施形態では、包装容器１０の左側面板５及び右側面板６に連設されていた折込片１８，１９を、開放部材３０の係合片３８，３９として活用したが、折込片１８，１９以外の部分を係合片３８，３９としてもよい。
【符号の説明】
【００４２】
１，１０  包装容器
２  底板
３  前面板
４  後面板
４ａ  差込部
５  左側面板
５ａ，６ａ  スリット（係合部）
６  右側面板
７  蓋板
７ａ  折込片
７ｂ  突出片
７ｃ  切目線
７ｄ  押圧部
８，９，１４，１７  折目線
１１，１２  押え片
１３，１３ａ，１３ｂ，１５，１５ａ，１５ｂ，１６，１６ａ，１６ｂ  切目線
１８，１９  折込片
２０，２５  収容部材
２１，３０  開放部材
３１  切取部
３３  前面部材
３５  左側面部材
３６  右側面部材
３８，３９  係合片
３８ａ，３９ａ  係止部
３８ｂ，３９ｂ  切込部
３８ｃ，３８ｄ，３９ｃ，３９ｄ  折目線
４０  補強部
４１  商品保持部
４１ａ，４１ｂ  孔
４１ｃ  切取部
４２，４４  折目線
４３  前面部材折返部
４５  左側面部材折返部
４６  右側面部材折返部
５０  ブランク
【図１】
0005735855.tif 000002
【図２】
0005735855.tif 000003
【図３】
0005735855.tif 000004
【図４】
0005735855.tif 000005
【図５】
0005735855.tif 000006
【図６】
0005735855.tif 000007
【図７】
0005735855.tif 000008
【図８】
0005735855.tif 000009